(57)【要約】【課題】構成が簡単でありながら、フレキシブル印刷配線板のコネクタからの抜けを確実に防止する。【解決手段】印刷配線板用のコネクタ２０に差し込まれる接続端子部（舌片部１１１）を有するフレキシブル印刷配線板１００において、接続端子部をコネクタ２０に差し込んだ状態で、コネクタ２０の反差込口側の背面２０ｂに係合可能な抜け止め用の係合手段１２０を一体的に備えた構成とする。【選択図】　　図１
2004006507.tif 000002
【特許請求の範囲】
【請求項１】
印刷配線板用のコネクタに差し込まれる接続端子部を有するフレキシブル印刷配線板において、
上記接続端子部を上記コネクタに差し込んだ状態で、上記コネクタの反差込口側の背面に係合可能な抜け止め用の係合手段を一体的に備えていることを特徴とするフレキシブル印刷配線板。
【請求項２】
上記係合手段が、上記コネクタが嵌合される内部空間を有する環状の係合フレームよりなる請求項１に記載のフレキシブル印刷配線板。
【請求項３】
上記接続端子部が所定の接着手段を介して当該フレキシブル印刷配線板の端部に取り付けられる別基板よりなり、上記係合手段が上記別基板に一体に形成されている請求項１または２に記載のフレキシブル印刷配線板。
【請求項４】
上記係合手段が、当該フレキシブル印刷配線板に含まれているベースフィルムと一体に形成されている請求項１または２に記載のフレキシブル印刷配線板。
【発明の詳細な説明】
【０００１】
【発明の属する技術分野】
本発明は、フレキシブル印刷配線板に関し、さらに詳しく言えば、コネクタに対する抜け止め手段を備えているフレキシブル印刷配線板に関するものである。
【０００２】
【従来の技術】
多くの場合、フレキシブル印刷配線板は電気部品間を接続する中継基板として用いられており、柔軟で自在に屈曲可能であることから、異なる平面に存在する電気部品間の接続や、接近離反する可動電気部品間の接続に多用されている。
【０００３】
図４に示すように、フレキシブル印刷配線板１０は、例えばポリイミドフィルムからなる柔軟なベースフィルム１１と、この例ではその片面側に形成された導体リード１２と、導体リード形成面を被覆する絶縁被膜１３とを備え、その端部には接続端子部１４が設けられている。
【０００４】
接続端子部１４には絶縁被膜１３が形成されておらず、導体リード１２が露出されている。この接続端子部１４を相手方の印刷回路基板と接続する際、メンテナンス時のことなどを考慮して着脱可能とする場合には、印刷配線用のコネクタ２０が用いられる。図示していないが、コネクタ２０内には、例えばフォーク型やベローズ型のばね弾性を有する雌コンタクトが設けられている。
【０００５】
差込口２０ａより接続端子部１４を雌コンタクトのばね弾性に抗して差し込むことにより、導体リード１２との導通がとられる。なお、接続端子部１４の差込を容易にし、また、繰り返しの着脱に耐えうるようにするため、接続端子部１４には補強板１５が取り付けられることがある。
【０００６】
【発明が解決しようとする課題】
コネクタ２０内に差し込まれた接続端子部１４は雌コンタクトのばね弾性により保持されるが、例えば携帯機器や車載機器のように多くの振動を受ける使用環境下では、接続端子部１４が抜けないような手段を講ずる必要がある。
【０００７】
その抜け防止手段として種々の提案がなされているが、その多くはバックル式や緊諦金具式であって、作業性が面倒であるばかりでなく、その大きさからして小型の機器には向かない。また、それコストが高いなどの問題があった。
【０００８】
したがって、本発明の課題は、構成が簡単で作業性が良好であるとともに、小型でしかも低コストで作製できる抜け止め手段を備えたフレキシブル印刷配線板を提供することにある。
【０００９】
【課題を解決するための手段】
上記課題を解決するため、本発明は、印刷配線板用のコネクタに差し込まれる接続端子部を有するフレキシブル印刷配線板において、上記接続端子部を上記コネクタに差し込んだ状態で、上記コネクタの反差込口側の背面に係合可能な抜け止め用の係合手段を一体的に備えていることを特徴としている。
【００１０】
この構成によれば、接続端子部をコネクタに差し込んだ後、単に係合手段をコネクタの反差込口側の背面に係合するだけで、接続端子部の抜けを防止することができる。
【００１１】
この場合、より確実な抜け防止効果を得るには、上記係合手段として、上記コネクタが嵌合される内部空間を有する環状の係合フレームを採用することが好ましい。
【００１２】
また、本発明には次の態様が含まれる。上記接続端子部が所定の接着手段を介して当該フレキシブル印刷配線板の端部に取り付けられる別基板よりなる場合には、上記係合手段はその別基板に一体に形成されてよい。これとは別の態様として、上記係合手段を当該フレキシブル印刷配線板に含まれているベースフィルムと一体に形成することもできる。
【００１３】
【発明の実施の形態】
次に、図１ないし図３を参照して、本発明の実施形態について説明する。図１は本発明によるフレキシブル印刷配線板の接続端子部の構成をコネクタとともに示す斜視図、図２は図１のコネクタ側から見た上記フレキシブル印刷配線板の底面図、図３は図２のＡ−Ａ線断面図である。
【００１４】
まず、図３に示すように、このフレキシブル印刷配線板１００も、先の図４で説明したのと同じく、基本的な構成として、例えばポリイミドフィルムからなる柔軟なベースフィルム１１と、ベースフィルム１１の片面側に形成された導体リード１２と、導体リード形成面を被覆する絶縁被膜１３とを備え、その端部には接続端子部１４が設けられているが、この例においては、接続端子部１４は別基板１１０によって外部に引き出されている。
【００１５】
すなわち、別基板１１０は、コネクタ２０に差し込まれる舌片部１１１を備えており、その片面（図３において上面）には、接続端子部１４に露出されている導体リード１２に対応する引出リード１１２が形成されている。
【００１６】
別基板１１０と接続端子部１４は、図示しない例えば異方性導電フィルムなどの接着樹脂にて電気的・機械的に接続することができる。この例において、別基板１１０には、柔軟性を有するポリエステルフィルムが用いられている。必要に応じて、引出リード１１２の反対側の面に補強板を取り付けてもよい。
【００１７】
また、この別基板１１０には、コネクタ２０に差し込まれた舌片部１１１の抜けを防止するため、コネクタ２０に対する係合手段としての係合フレーム１２０が一体に設けられている。
【００１８】
係合フレーム１２０は、舌片部１１１の基部側から左右方向に延びる基端片１２１，１２１と、基端片１２１，１２１の各先端部から舌片部１１１と同方向で、かつ、舌片部１１１よりも長く延ばされた左右一対の側片１２２，１２２と、側片１２２，１２２間に架け渡された係合片１２３とを含み、内部にコネクタ２０を嵌合可能な矩形状の環状体として形成されている。
【００１９】
側片１２２，１２２は、舌片部１１１をコネクタ２０に差し込んだ状態において、係合片１２３がコネクタ２０の背面２０ｂに引っ掛かるような長さに設定されている。なお、コネクタ２０の背面２０ｂとは、差込口２０ａと反対側に位置する面である。
【００２０】
したがって、このフレキシブル印刷配線板１００によれば、舌片部１１１をコネクタ２０の差込口２０ａ内に差し込んだ後、係合フレーム１２０をコネクタ２０の上から被せるようにしてその係合片１２３をコネクタ２０の背面２０ｂに係合するというきわめて簡単な操作により、コネクタ２０からの抜けを確実に防止できる。
【００２１】
変形例として、係合フレーム１２０をフレキシブル印刷配線板１００のベースフィルム１１と一体に形成してもよい。また、係合片１２３はその途中で分断されてもよい。また、上記実施形態では、接続端子部１４に別基板１１０を取り付けているが、接続端子部１４は図４で説明した態様のものであっても、本発明に含まれる。
【００２２】
【発明の効果】
以上説明したように、本発明によれば、印刷配線板用のコネクタに差し込まれる接続端子部を有するフレキシブル印刷配線板において、接続端子部をコネクタに差し込んだ状態で、コネクタの反差込口側の背面に係合可能な抜け止め用の係合手段を一体的に備えていることにより、構成が簡単でありながら、コネクタからの抜けを確実に防止することができる。
【００２３】
また、係合手段をコネクタに対して単に引っ掛けるだけでよいため、作業性が至って簡単である。また、係合手段はフィルム材よりなるため、小型でしかも低コストで作製できる。
【図面の簡単な説明】
【図１】本発明によるフレキシブル印刷配線板の接続端子部の構成をコネクタとともに示す斜視図。
【図２】図１のコネクタ側から見た上記フレキシブル印刷配線板の底面図。
【図３】図２のＡ−Ａ線断面図。
【図４】従来例を示す模式的な断面図。
【符号の説明】
１１　ベースフィルム
１２　導体リード
１３　絶縁被覆
１４　接続端子部
２０　コネクタ
２０ａ　差込口
２０ｂ　背面
１００　フレキシブル印刷配線板
１１０　別基板
１１１　舌片部
１１２　引出リード
１２０　係合フレーム
１２３　係合片
【図１】
2004006507.tif 000003
【図２】
2004006507.tif 000004
【図３】
2004006507.tif 000005
【図４】
2004006507.tif 000006